Podtech/llm-jp-corpus-v4-ja_patent huggingface dataset:
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
２つの電極（１１、１２；２１、２２）、アクチュエータ（１５；２５）および電力源（２０）を含む、安全機構を有する溶接装置（１０；３０）であって、
前記２つの電極（１１；２１、２２）のうちの少なくとも１つが他方の電極に対して移動可能に構成され、前記２つの電極は互いに接触しないで、密閉される非導電性表面を有する物体（１４）が挿入される間隙（１３）を画定し、
前記アクチュエータ（１５；２５）は、作動されているときに、移動可能に構成された前記電極（１１；２１、２２）を動かして、前記物体（１４）が前記間隙（１３）に挿入されるときに圧搾されるように構成され、
前記電力源（２０）は溶接施工を実施するためにエネルギを前記電極に供給するように構成されており、
前記溶接装置（１０；３０）はさらに、
１）挿入された前記物体（１４）が前記電極（１１、１２；２１，２２）の間で圧搾されるときに締付力を定量化するように構成される検出器（１６；２６）、
２）前記物体（１４）が圧搾されるときに前記電極間の距離を測定するように構成される距離センサ（１７；２３）、
３）前記物体（１４）が圧搾されるときに前記電極（１１、１２；２１、２２）の間に位置する物体の導電性を測定するように構成されるコンダクタンスセンサ（２４）
を含み、かつ
前記溶接装置が、
前記検出器（１６；２６）および前記センサからの入力を処理して、前記電極間に挿入されているのが血液バッグチューブであるか、または異物であるかを示す出力を供給するように構成されるプロセッサを含む、
ことを特徴とする、溶接装置（１０；３０）。
【請求項２】
前記プロセッサは距離およびコンダクタンスに関する閾値をメモリに蓄積し、前記プロセッサは、センサ出力と蓄積された前記閾値との比較を出力する、請求項１に記載の溶接装置。
【請求項３】
前記プロセッサは様々な材料の種類に関する締付力プロファイルを蓄積し、前記プロセッサは、検出器出力と蓄積された前記プロファイルとの比較を出力する、請求項１または請求項２に記載の溶接装置。
【請求項４】
前記距離センサ（１７；２３）は、少なくとも１つの前記電極（１１；２１、２２）の、他方の電極に対する動作を観察することによって、前記電極間の距離を測定するように構成される、請求項１に記載の溶接装置。
【請求項５】
前記距離センサ（１７；２３）は光学式距離計である、請求項１〜請求項４のいずれか一項に記載の溶接装置。
【請求項６】
前記物体が画定された間隙（１３）より部分的に外側にあるかどうかを検出するために、追加のセンサ（１９ａ）が設けられ、前記プロセッサ（１８）はさらに、前記物体（１４）が前記画定された間隙（１３）より部分的に外側にあることが検出されるときに、前記アクチュエータ（１５；２５）が作動するのを防ぐように構成される、請求項１〜請求項５のいずれか一項に記載の溶接装置。
【請求項７】
前記追加のセンサは前記距離センサ（２３）と一体である、請求項６に記載の溶接装置。
【請求項８】
前記電極間に挿入された前記物体（１４）の位置を検出するように、位置センサ（１９ｂ）が設けられ、前記プロセッサ（１８）はさらに、前記位置センサが前記電極（１１、１２；２１、２２）の間に前記物体が設置されていることを検出するときに、前記アクチュエータ（１５；２５）を作動させるように構成される、請求項１〜請求項７のいずれか一項に記載の溶接装置。
【請求項９】
前記アクチュエータ（１５；２５）は、前記位置センサ（１９ｂ）が前記間隙（１３）内で物体を検出するときに作動される、請求項８に記載の溶接装置。
【請求項１０】
前記電極（１２）の少なくとも１つは固定されている、請求項１〜請求項９のいずれか一項に記載の溶接装置。
【請求項１１】
２つの電極（１１、１２；２１、２２）、アクチュエータ（１５；２５）および電力源（２０）を含む、安全機構を有する溶接装置（１０；３０）であって、
前記２つの電極（１１；２１、２２）のうちの少なくとも１つが他方の電極に対して移動可能に構成され、前記２つの電極は互いに接触しないで、密閉される非導電性表面を有する物体（１４）が挿入される間隙（１３）を画定し、
前記アクチュエータ（１５；２５）は、作動されているときに、移動可能に構成された前記電極（１１；２１、２２）を動かして、前記物体（１４）が前記間隙（１３）に挿入されるときに圧搾されるように構成され、
前記電力源（２０）は溶接施工を実施するためにエネルギを前記電極に供給するように構成されており、
前記溶接装置（１０；３０）はさらに、
１）挿入された前記物体（１４）が前記電極（１１、１２；２１，２２）の間で圧搾されるときに締付力を定量化するように構成される検出器（１６；２６）、
２）前記物体（１４）が圧搾されるときに前記電極間の距離を測定するように構成される距離センサ（１７；２３）、
３）前記物体（１４）が圧搾されるときに前記電極（１１、１２；２１、２２）の間に位置する物体の導電性を測定するように構成されるコンダクタンスセンサ（２４）、
および任意選択で、
前記電極間に挿入された前記物体（１４）の位置を検出するように構成される位置センサ（１９ｂ）
を含み、かつ
前記溶接装置が、
前記検出器（１６；２６）、前記距離センサ（１７；２３）、および前記コンダクタンスセンサ（２４）からの入力を処理して、前記電極間に挿入されているのが血液バッグチューブであるか、または異物であるかを示す出力を供給するように構成されるプロセッサを含む、ことを特徴とし、
前記プロセッサは距離およびコンダクタンスに関する閾値をメモリに蓄積するメモリを含み、前記プロセッサは、センサ出力と蓄積された前記閾値の比較を出力し、
前記プロセッサは様々な材料の種類に関する締付力プロファイルを蓄積するメモリを含み、前記プロセッサは、検出器出力と蓄積された前記プロファイルの比較を出力する、
溶接装置（１０；３０）。
【手続補正２】
【補正対象書類名】図面
【補正対象項目名】全図
【補正方法】変更
【補正の内容】
【図１】
2019531923.tif 000001
【図２】
2019531923.tif 000002
【図３】
2019531923.tif 000003
【図４】
2019531923.tif 000004
【図５】
2019531923.tif 000005
【図６】
2019531923.tif 000006
【図７】
2019531923.tif 000007
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
包装チューブを押出成形しラベリングする方法であって、押出成形ラベリングラインで実行される以下の連続する工程、すなわち：
ａ）部分的または全体的にチューブ状のラベル（１２）をシェーパ（２０）においてフィルムから形成する工程と；
ｂ）較正要素（２２）の中にラベルを導入する工程と；
ｃ）ラベル（１２）の凹面の側のチューブ状本体（１３）を押出成形する工程と；
ｄ）押出成形チューブ状本体の外面をラベルの凹面と接触させる工程と；
を含み、
ここにおいて、ラベル（１２）は、少なくとも２つの層を、前記層のうちの一方が押出成形チューブ本体（１３）の融点よりも少なくとも２０℃高い融点を有する場合を含み、工程ｄ）は、チューブ状本体の内部と外部の間に第１の圧力差（ΔＰ１）を生み出す空気ジェットによって実行され、前記第１の圧力差（ΔＰ１）は、チューブ状本体（１４）の内部を経由する空気の漏出を少なくとも部分的に遮る、シェーパ（２０）の下流に位置する第１のフローティング栓（２６）によって生成される、前記方法。
【請求項２】
第１の圧力差（ΔＰ１）はまた、シェーパ（２０）の上流側から押出ヘッド（２４）を経由する空気の漏出の制御によって生成される、請求項１に記載の方法。
【請求項３】
第１の栓（２６）は磁力によってチューブの内側に保持される、請求項１または２に記載の方法。
【請求項４】
第１の栓（２６）は、チューブを引っ張る手段（１７）の後に位置する、請求項１〜３のいずれか１項に記載の方法。
【請求項５】
第２の栓（２９）は開始段階中に押出ヘッドに連結される、請求項１〜４のいずれか１項に記載の方法。
【請求項６】
第２の栓（２９）は、開始段階の後に押出ヘッドから解放され、移動するチューブによって第１の栓（２６）に当接するまで輸送される、請求項５に記載の方法。
【請求項７】
第２の圧力差（ΔＰ２）がチューブ（１４）の内部と外部の間に確立され、前記第２の圧力差（ΔＰ２）は、真空タンク（２１）内の圧力の低減によって生み出される、請求項１〜６のいずれか１項に記載の方法。
【請求項８】
工程ｃ）は較正要素（２２）内で実行され、前記較正要素（２２）は冷却される、請求項１〜７のいずれか１項に記載の方法。
【請求項９】
較正要素（２２）は、ラベル（１２）との摩擦を低減することを可能にする接触面を含む、請求項１〜８のいずれか１項に記載の方法。
【請求項１０】
シェーパ（２０）の入口のラベル（１２）の張力が制御される、請求項１〜９のいずれか１項に記載の方法。
【請求項１１】
チューブは、その丸みを最適化するための処理を受ける、請求項１〜１０のいずれか１項に記載の方法。
【請求項１２】
ラベルの縁部が縦に並べられるか、またはラベルの縁部が重複する、請求項１〜１１のいずれか１項に記載の方法。
【請求項１３】
押出成形ラベリングデバイスであって：
部分的または全体的にチューブ状のラベル（１２）をフィルムから形成するデバイスと、
ラベル（１２）の凹面の側にチューブ状本体（１３）を形成するための押出ノズル（２７）を含む押出成形デバイスと、
較正要素（２２）と；
を含み、
押出ノズル（２７）は較正要素（２２）の内側に配置され；
前記デバイスは、押出成形チューブ状本体内に圧縮空気ジェットを生み出して前記押出成形チューブ状本体を成形ラベルの凹面に接触させる、少なくとも１つのブロワ手段（２８）を含み、第２の栓（２９）は押出ノズルに近く、第１のフローティング栓（２６）は押出ノズルから遠く、前記第１の栓は、外部手段によって機械内の固定位置に維持されたフローティング栓であり、前記栓は押出成形チューブ内の圧力を維持する、前記押出成形ラベリングデバイス。
【請求項１４】
前記第２の栓（２９）は、取り外し可能にブロワ手段（２８）に固定される、請求項１３に記載のデバイス。
【請求項１５】
第１の栓（２６）は磁石栓であり、デバイスは、チューブの動きにかかわらず栓（２６）を動かなくする磁石ブッシュ（３９）を含む、請求項１３または１４に記載のデバイス。
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
シートストック材料をダンネージ製品に転換するためのダンネージ転換機であって、該ダンネージ転換機が、
前記転換アセンブリであって、それを通して前記シートストック材料を前進させ、前記シートストック材料の少なくとも一部を選択的にランダムにしわにするように構成された転換アセンブリと、
前記転換アセンブリの下流に位置する切断アセンブリと、
前記転換アセンブリおよび前記切断アセンブリと通信するコントローラであって、前記転換アセンブリを制御して前記シートストック材料の一部のランダムなしわを一時的に軽減し、その後、前記切断アセンブリを起動して、前記しわの軽減したシートストック材料部分において前記シートストック材料のストリップを切断することにより前記シートストック材料からダンネージの個別のストリップを切り離すように構成されたコントローラと、を含む、ダンネージ転換機。
【請求項２】
前記転換アセンブリが、
供給アセンブリであって、それを通して少なくとも第１のウェブのシートストック材料を第１の速度で前進させる、供給アセンブリと、
前記供給アセンブリの下流に位置する接続アセンブリであって、（ａ）前記第１の速度より遅い第２の速度で前記シートストック材料を通過させることにより、前記シートストック材料の前進を遅らせ、それにより前記供給アセンブリと前記接続アセンブリとの間の縦方向のスペースにおいて前記第１のウェブをランダムにしわにし、（ｂ）前記しわにした第１のウェブを第２のウェブにつないで、前記しわにした第１のウェブをしわにした状態で維持する接続アセンブリと、を含む、請求項１に記載のダンネージ転換機。
【請求項３】
前記供給アセンブリが、その間で前記シートストック材料を前進させるための少なくとも一対の回転部材を含む、請求項２に記載のダンネージ転換機。
【請求項４】
前記接続アセンブリが、その間を通る前記シートストック材料を変形させて前記シートストック材料の複数のプライを連結するためのインターレース歯を備えた少なくとも一対の回転ギア部材を含む、請求項２に記載のダンネージ転換機。
【請求項５】
前記転換アセンブリが、それを通る前記シートストック材料の通路を画定する１つ以上のトンネル部材を含む、請求項１に記載のダンネージ転換機。
【請求項６】
シートストック材料をダンネージ製品に転換するための方法であって、該方法が、
転換アセンブリを通してシートストック材料を前進させて前記シートストック材料の少なくとも一部をランダムにしわにしてダンネージのストリップを形成するステップと、その後に、
前記シートストック材料をランダムにしわにすることなく前記転換アセンブリを通して前記シートストック材料を一時的に前進させて前記ダンネージのストリップのしわのない部分を形成するステップと、その後に、
前記ダンネージのストリップのしわのない部分を切断して前記ダンネージのストリップから個別のダンネージ製品を切り離すステップと、を含む、方法。
【請求項７】
前記ランダムにしわにするステップが、
前記第１の速度より遅い第２の速度で前記シートストック材料を通過させることにより前記転換アセンブリの前記供給アセンブリ部分の下流で前記シートストック材料の通過を 
遅らせて前記第１のウェブをランダムにしわにするステップと、
複数の層のシートストック材料を接続し、前記しわにした第１のウェブを第２のウェブのシートストック材料の片側に接続するステップを含み、前記しわにした第１のウェブをしわにした状態に保つステップと、を含む、請求項６に記載の方法。
【請求項８】
シートストック材料をダンネージ製品に転換するダンネージ転換機であって、該ダンネージ転換機が、
シートストック材料を前進させて前記シートストック材料の少なくとも一部をランダムにしわにし、ダンネージのストリップを形成するための手段と、
前記シートストック材料をランダムにしわにすることなく前記シートストック材料を一時的に前進させ、前記ダンネージのストリップのしわのない部分を形成するための手段と、
前記ダンネージのストリップのしわのない部分を切断して前記ダンネージのストリップから個別のダンネージ製品を切り離すための手段と、を含む、ダンネージ転換機。
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
通路、流入ポートおよび排出ポートを有し、前記通路が前記流入ポートから前記排出ポートへ溶融材料を輸送するように機能する第１取付ブロックと、
金型と、
溶融材料を前記第１取付ブロックから前記金型の入口ポートに輸送するように作動する通路を有する導管と、
第１外側チューブと、
支柱およびフィンを有し、前記フィンを用いて前記第１外側チューブ内に配置され、前記支柱が前記フィンから前記金型の入口ポートから離れる方向に延び、前記支柱が１以上の通路を有し、前記通路の少なくとも１つを大気に開放して圧力均等化をもたらす押出ピンと、
前記金型から出てくる押出物に接するように機能する移動型の鋳型と、
を備え、
前記鋳型は、案内チューブにより前記鋳型を介して前記押出物に加えられる圧力によって前記押出物の表面にテクスチャーを転写する
金型アセンブリ。
【請求項２】
請求項１に記載の金型アセンブリにおいて、前記案内チューブを収容する第１支持部材をさらに備え、この第１支持部材は、前記第１取付ブロックの上面と接し、前記第１支持部材は第１の穴と第２の穴とを有し、前記第１の穴と前記第２の穴とは同心円状に配置され、第１の穴は前記金型の位置決めを容易にし、前記第２の穴は案内チューブとして動作することを特徴とする金型アセンブリ。
【請求項３】
請求項１に記載の金型アセンブリにおいて、供給ローラーを収容する第２支持部材をさらに備え、前記供給ローラーは、前記鋳型を供給して前記押出物に接触させ、前記第２支持部材は、第１支持部材と接する面とは反対側の面で前記第１取付ブロックと接する、ことを特徴とする金型アセンブリ。
【請求項４】
請求項１に記載の金型アセンブリにおいて、前記導管は、前記第１取付ブロックと接する面とは反対側の面に位置決め部品を有し、この位置決め部品が、前記金型の位置決めを容易にする、ことを特徴とする金型アセンブリ。
【請求項５】
請求項１に記載の金型アセンブリにおいて、前記導管の通路内の排出ポートが、前記第１外側チューブ内の入口ポートと一直線に整列している、ことを特徴とする金型アセンブリ。
【請求項６】
請求項１に記載の金型アセンブリにおいて、前記第１外側チューブは、直径が前記第１外側チューブの直径よりも小さい１または複数のチューブを含み、これらの１または複数のチューブが前記第１外側チューブに接合され、前記１または複数のチューブの前記第１外側チューブへの接合が溶接によって行われている、ことを特徴とする金型アセンブリ。
【請求項７】
請求項６に記載の金型アセンブリにおいて、前記１または複数のチューブは、前記押出物に放射線不透過性ストライプを加えるため、または前記押出物の表面に反応物を加えるために機能し、前記放射線不透過性ストライプがバリウムを含む、ことを特徴とする金型アセンブリ。
【請求項８】
請求項１に記載の金型アセンブリにおいて、前記金型を前記第１取付ブロックに可逆的に固定するストラップをさらに備えることを特徴とする金型アセンブリ。
【請求項９】
請求項８に記載の金型アセンブリにおいて、前記ストラップが金属を含む、ことを特徴とする金型アセンブリ。
【請求項１０】
請求項９に記載の金型アセンブリにおいて、前記金型が前記導管に溶接され、前記導管が前記第１取付ブロックに溶接されており、前記押出ピンは、前記第１外側チューブ内への挿入および前記第１外側チューブから取り外しが可能であり、前記フィンは、前記第１外側チューブ内のスロットにスライドして出入りする、ことを特徴とする金型アセンブリ。
【請求項１１】
請求項１に記載の金型アセンブリにおいて、前記鋳型が前記押出物と同じ方向に前記押出物と同じ速度で移動し、前記テクスチャーが、前記案内チューブを通る前記押出物の１回の通過で、前記押出物の全長にわたって、前記押出物の表面全体に複製される、ことを特徴とする金型アセンブリ。
【請求項１２】
通路、流入ポートおよび排出ポートを有し、前記通路が前記流入ポートから前記排出ポートへ溶融材料を輸送するように機能する第１取付ブロックと、金型と、溶融材料を前記第１取付ブロックから前記金型の入口ポートに輸送するように作動する通路を有する導管と、第１外側チューブと、支柱およびフィンを有し、前記フィンを用いて前記第１外側チューブ内に配置され、前記支柱が前記フィンから前記金型の入口ポートから離れる方向に延び、前記支柱が１以上の通路を有し、前記通路の少なくとも１つを大気に開放して圧力均等化をもたらす押出ピンと、移動型の鋳型と、を備える金型アセンブリに押出物を排出し、
前記押出物を前記鋳型に接触させ、
案内チューブにより前記鋳型を介して前記押出物に加えられる圧力によって前記押出物の表面にテクスチャーを転写する
方法。
【請求項１３】
請求項１２に記載の方法において、前記テクスチャーが、前記案内チューブを通る前記押出物の１回の通過で、前記押出物の全長にわたって、前記押出物の表面全体に複製され、前記案内チューブは、いずれの所与の時点でも、前記押出物の特定の断面の全表面領域に圧力を加える、ことを特徴とする方法。
【請求項１４】
請求項１３に記載の方法において、前記押出物が導管である、ことを特徴とする方法。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
入力装置のための処理システムであって、
混合器であって、
前記入力装置に受信されたセンサ信号に由来する第１の信号をダウンコンバートし、
処理された信号を出力する、
ように構成された混合器と、
前記処理された信号を受信するように構成され、量子化器を備えるデルタシグマ変調器と、
前記デルタシグマ変調器の出力と結合され、前記量子化器の量子化ノイズを低減するように構成されたデジタルフィルタと、
を備える処理システム。
【請求項２】
前記デルタシグマ変調器が、前記処理システムのレシーバ回路内に含まれる、請求項１に記載の処理システム。
【請求項３】
前記デルタシグマ変調器が、更に、前記処理された信号を受信するように構成された差動変調器を含む、請求項１に記載の処理システム。
【請求項４】
前記第１の信号が、電流コンベアにより前記センサ信号から生成されたミラー電流信号である、請求項１に記載の処理システム。
【請求項５】
前記デルタシグマ変調器が、第１の入力ノードと第２の入力ノードとを更に備え、前記処理された信号は前記デルタシグマ変調器の前記第１の入力ノードと前記第２の入力ノードとのうち一つに受信され、第１のコモンモードキャパシタと第２のコモンモードキャパシタとが前記第１の入力ノードと前記第２の入力ノードとの間に結合されている、請求項４に記載の処理システム。
【請求項６】
前記処理された信号が実質的に周波数成分を含まない、請求項１に記載の処理システム。
【請求項７】
前記混合器が、極性スイッチング機能を行うことにより前記第１の信号をダウンコンバートするように構成された複数のスイッチを含む、請求項１に記載の処理システム。
【請求項８】
センサ電極と、
前記センサ電極と結合された処理システムと、を備え、
前記処理システムは、
混合器であって、
前記センサ電極に受信されたセンサ信号に由来する第１の信号をダウンコンバートし、
処理された信号を出力する、
ように構成された混合器と、
前記処理された信号を受信するように構成され、量子化器を備えるデルタシグマ変調器と、
前記デルタシグマ変調器の出力と結合され、前記量子化器の量子化ノイズを低減するように構成されたデジタルフィルタと、
を備える入力装置。
【請求項９】
前記デルタシグマ変調器が、前記処理システムのレシーバ回路内に含まれる、請求項８に記載の入力装置。
【請求項１０】
前記デルタシグマ変調器が、更に、前記処理された信号を受信するように構成された差動変調器を含む、請求項８に記載の入力装置。
【請求項１１】
前記処理システムが、更に、前記デルタシグマ変調器の前記差動変調器に、連続時間出力信号を含む前記処理された信号を供給するように構成されている、請求項１０に記載の入力装置。
【請求項１２】
前記第１の信号が、電流コンベアにより前記センサ信号から生成されたミラー電流信号である、請求項８に記載の入力装置。
【請求項１３】
前記処理された信号が実質的に周波数成分を含まない、請求項８に記載の入力装置。
【請求項１４】
前記デルタシグマ変調器が、第１の入力ノードと第２の入力ノードとを更に備え、前記処理された信号は前記デルタシグマ変調器の前記第１の入力ノードと前記第２の入力ノードとのうち一つに受信され、第１のコモンモードキャパシタと第２のコモンモードキャパシタとが前記第１の入力ノードと前記第２の入力ノードとの間に結合されている、請求項８に記載の入力装置。
【請求項１５】
前記混合器が、極性スイッチング機能を行うことにより前記第１の信号をダウンコンバートするように構成された複数のスイッチを含む、請求項８に記載の入力装置。
【請求項１６】
混合器を使用して、入力装置に受信されたセンサ信号に由来する第１の信号をダウンコンバートすることにより処理された信号を生成するステップと、
デルタシグマ変調器を使用して、積分信号を量子化するステップであって、前記積分信号が前記処理された信号に基づくステップと、
デジタルフィルタを使用して、前記デルタシグマ変調器の量子化ノイズを低減するステップと、を含む方法。
【請求項１７】
前記積分信号の量子化に基づいてフィードバックデジタルアナログ変換器（ＤＡＣ）を制御するステップであって、前記フィードバックＤＡＣが前記デルタシグマ変調器の１以上の入力ノードと結合されたステップを更に含む、請求項１６に記載の方法。
【請求項１８】
前記処理された信号が実質的に周波数成分を含まない、請求項１６に記載の方法。
【請求項１９】
前記第１の信号をダウンコンバートすることにより前記処理された信号を生成するステップは、極性スイッチング機能を行う複数のスイッチを制御するステップを含む、請求項１６に記載の方法。
【請求項２０】
前記デルタシグマ変調器の第１の入力ノードと第２の入力ノードとのうち一つに前記処理された信号を受信するステップであって、第１のコモンモードキャパシタと第２のコモンモードキャパシタとが前記第１の入力ノードと前記第２の入力ノードとの間に結合されているステップを更に含む、請求項１６に記載の方法。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
デバイス間(D2D)送信を送信するための利用可能なリソースのセット内のリソースの候補セットを識別するステップと、
前記D2D送信の第1の送信を送信するための前記リソースの候補セット内の第1のリソースを選択するステップと、
前記D2D送信の第2の送信を送信するための前記利用可能なリソースのセットのサブセットを決定するステップと、
前記第2の送信を送信するための前記利用可能なリソースのセットの前記サブセット内の第2のリソースを識別するステップと、
前記第2の送信を送信するための前記利用可能なリソースのセットの前記サブセットが空であると決定するステップと、
前記第2の送信を送信するための前記利用可能なリソースのセットの前記サブセットが空であるとの決定に基づいて、
選択肢1として、前記利用可能なリソースのセットの前記サブセットが空ではないように、前記利用可能なリソースのセットの追加のリソースを含めるために前記リソースの候補セットを修正し、かつ前記第2の送信を送信するための前記第2のリソースを選択するか、または、
選択肢2として、前記第2の送信を送信するための前記第2のリソースを選択することをスキップするステップと、
前記第1のリソースを使用して前記第1の送信を送信するステップと、
選択肢1について、前記第2のリソースを使用して前記第2の送信を送信するか、または、選択肢2について、前記第2のリソースを使用して前記第2の送信を送信することをスキップするステップと
を備える方法。
【請求項２】
前記利用可能なリソースのセットの前記サブセットを前記決定するステップが、
前記リソースの候補セットから前記第1のリソースを取り除くことに少なくとも部分的に基づいて、前記リソースの候補セットの残りのリソースを決定するステップ
を備える、請求項1に記載の方法。
【請求項３】
前記利用可能なリソースのセットの前記サブセットを前記決定するステップが、
前記第1の送信を送信するための第1の時間を識別するステップと、
前記第1の時間を中心とする時間ウィンドウを識別するステップと、
前記利用可能なリソースのセットの前記サブセットを、前記時間ウィンドウ内の残りのリソースとして決定するステップと
をさらに備える、請求項2に記載の方法。
【請求項４】
前記第2のリソースを前記選択するステップが、前記利用可能なリソースのセットの前記サブセットから前記第2のリソースをランダムに選択するステップを備える、請求項3に記載の方法。
【請求項５】
前記時間ウィンドウが、基地局によって構成される、請求項3に記載の方法。
【請求項６】
前記時間ウィンドウが、所定の固定時間ウィンドウを備える、請求項3に記載の方法。
【請求項７】
選択肢1について、前記リソースの候補セットが、しきい値を下回る受信エネルギーを有する前記利用可能なリソースのセットのリソースとして識別され、前記修正するステップが、前記利用可能なリソースのセットの前記サブセットが空ではなくなるまで前記しきい値を上げるステップを備える、請求項1に記載の方法。
【請求項８】
前記第1のリソースが、前記リソースの候補セットからランダムに選択される、請求項1に記載の方法。
【請求項９】
前記D2D送信が、2つのD2Dユーザ機器(UE)デバイスの間のサイドリンク送信を備え、前記利用可能なリソースのセットが、1次サイドリンク共有チャネル(PSSCH)リソースである、請求項1に記載の方法。
【請求項１０】
前記利用可能なリソースのセットが、D2D送信のために利用可能なリソースの構成されたセットのサブセットを備え、1つまたは複数のD2D送信機に関連付けられた1つまたは複数のスケジューリング割当て(SA)に少なくとも部分的に基づいて識別される、請求項1に記載の方法。
【請求項１１】
システムにおける、ワイヤレス通信のための装置であって、請求項1乃至10のいずれか1項に記載の方法を実行するための手段を備えた装置。
【請求項１２】
コンピュータに請求項1乃至10のいずれか1項に記載の方法を実行させるための命令を含むコンピュータプログラム。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
標的細胞の細胞表面分子に結合する抗体と、
シアリダーゼと、
を含む、複合体。
【請求項２】
前記抗体が、ＩｇＧ、一本鎖Ｆｖ（ｓｃＦｖ）、Ｆａｂ、（Ｆａｂ）２、または（ｓｃＦｖ’）２である、請求項１に記載の複合体。
【請求項３】
前記シアリダーゼが前記抗体の重鎖と複合体化される、請求項１または２に記載の複合体。
【請求項４】
前記シアリダーゼが前記抗体のＦｃ領域と複合体化される、請求項３に記載の複合体。
【請求項５】
前記シアリダーゼが前記重鎖のＣ末端と複合体化される、請求項３に記載の複合体。
【請求項６】
前記シアリダーゼが、リンカーを介して前記抗体と複合体化される、請求項１〜５のいずれか一項に記載の複合体。
【請求項７】
前記リンカーがペプチドである、請求項６に記載の複合体。
【請求項８】
前記複合体が融合タンパク質である、請求項７に記載の複合体。
【請求項９】
前記標的細胞が癌細胞である、請求項１〜８のいずれか一項に記載の複合体。
【請求項１０】
前記細胞表面分子が腫瘍関連細胞表面分子または腫瘍特異的細胞表面分子である、請求項９に記載の複合体。
【請求項１１】
前記癌細胞が、癌腫細胞、乳癌細胞、卵巣癌細胞、胃癌細胞、および結腸癌細胞からなる群から選択される、請求項９または１０に記載の複合体。
【請求項１２】
前記腫瘍関連細胞表面分子または腫瘍特異的細胞表面分子がヒト上皮増殖因子受容体２（ＨＥＲ２）である、請求項１０に記載の複合体。
【請求項１３】
前記シアリダーゼが、Ｓａｌｍｏｎｅｌｌａ  ｔｙｐｈｉｍｕｒｉｕｍシアリダーゼ、Ｖｉｂｒｉｏ  ｃｈｏｌｅｒａｅシアリダーゼ、哺乳動物ノイラミニダーゼ、およびヒトノイラミニダーゼからなる群から選択される、請求項１〜１２のいずれか一項に記載の複合体。
【請求項１４】
前記シアリダーゼが、ヒトノイラミニダーゼ１、ヒトノイラミニダーゼ２、ヒトノイラミニダーゼ３、およびヒトノイラミニダーゼ４からなる群から選択されるヒトノイラミニダーゼである、請求項１〜１２のいずれか一項に記載の複合体。
【請求項１５】
請求項１〜１４のいずれか一項に記載の複合体と、
薬学的に許容される担体と、
を含む、組成物。
【請求項１６】
癌を治療する方法における使用のための請求項１５に記載の組成物であって、前記方法は、癌を有する個体に前記組成物を投与することを含む、組成物。
【請求項１７】
請求項１〜１４のいずれか一項に記載の複合体、および、必要とする個体に前記複合体を投与するための説明書を含む、キット。
【請求項１８】
請求項８に記載の融合タンパク質をコードする核酸。
【請求項１９】
請求項１８に記載の核酸に作動可能に連結されたプロモーターを含む発現ベクター。
【請求項２０】
請求項１８に記載の核酸または請求項１９に記載の発現ベクターを含む宿主細胞。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
ユーザが旅行するつもりである地理的場所においてアクセス不可能である、プレイリストのストリーミングメディアのコピーを自動的にダウンロードする方法であって、前記方法は、
ユーザが第１の地理的場所から第２の地理的場所に旅行する予定であることを示す情報を検出することと、
前記検出に応答して、前記ユーザが消費するつもりである複数のストリーミングメディアを示す前記ユーザのプロファイルによって示されるプレイリストにアクセスすることであって、前記複数のストリーミングメディアは、ストリーミングメディアプロバイダと関連付けられる、ことと、
前記複数のストリーミングメディアの各ストリーミングメディアに対応するデータを、前記ストリーミングメディアプロバイダに対する地理的コンテンツ制限を示すデータベースのエントリと比較することにより、前記複数のストリーミングメディアの各ストリーミングメディアが、前記制限に基づいて、前記第２の地理的場所において前記ユーザにとってアクセス可能であるかどうかを判定することと、
前記比較に基づいて、前記複数のメディアのサブセットが前記第２の地理的場所において前記ユーザにとってアクセス不可能であると判定することと、
前記サブセットが前記第２の地理的場所において前記ユーザにとってアクセス不可能であると判定したことに応答して、前記サブセットの各メディアをダウンロードすることと
を含む、方法。
【請求項２】
前記サブセットの各メディアをダウンロードすることは、
設定に基づいて、前記サブセットの各メディアをダウンロードするために、前記ユーザが所有する複数のユーザ機器のうちの１つのユーザ機器を判定することと、
前記サブセットの各メディアを前記ユーザ機器にダウンロードすることと
を含む、請求項１に記載の方法。
【請求項３】
前記ユーザ機器は、前記サブセットの各メディアを記憶するのに十分な容量を有しておらず、前記方法は、前記プロファイルに示される好みに基づいて、記憶するための前記サブセットの部分を自動的に選択することをさらに含む、請求項２に記載の方法。
【請求項４】
前記ユーザ機器は、前記サブセットの各メディアを記憶するのに十分な容量を有しておらず、前記方法は、
前記ユーザ機器が前記サブセットの各メディアを記憶するのに十分な容量を有していないことを示す前記ユーザへのアラートを表示のために生成することと、
記憶するための前記サブセットの部分の選択を前記ユーザから受信することと、
前記選択を受信したことに応答して前記サブセットの部分をダウンロードすることと
をさらに含む、請求項２に記載の方法。
【請求項５】
前記方法は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ことをさらに含む、請求項１〜４のいずれかに記載の方法。
【請求項６】
個別のダウンロード可能ファイルが購入を要求するかどうかを判定することと、
前記個別のダウンロード可能ファイルが購入を要求すると判定したことに応答して、前記ユーザが前記個別のダウンロード可能ファイルの購入を認可するかどうかに関して前記ユーザに指示を求めることと
をさらに含む、請求項５に記載の方法。
【請求項７】
前記ユーザが前記第１の地理的場所から前記第２の地理的場所に旅行する予定であることを示す情報を判定することは、
前記ユーザに宛てられた電子通信を受信することと、
前記電子通信のコンテンツが旅行に言及していると判定することと、
プロファイルに基づいて前記ユーザの自宅住所を識別することと、
前記電子通信のコンテンツを解析することにより、前記自宅住所以外の住所を識別することと、
前記自宅住所以外の住所を識別したことに応答して前記第２の地理的場所を前記自宅住所以外の住所であると判定することと
を含む、請求項１〜６のいずれか１項に記載の方法。
【請求項８】
前記複数のストリーミングメディアは、ストリーミングメディアプロバイダと関連付けられ、前記データベースは、前記ストリーミングメディアプロバイダに対する地理的コンテンツ制限を示す、請求項１〜７のいずれか１項に記載の方法。
【請求項９】
コンピュータ可読命令を備えるコンピュータプログラムであって、前記コンピュータ可読命令は、別個の１つ以上のプロセッサによって実行されると、前記１つ以上のプロセッサに、請求項１〜８のいずれかに記載の方法を行わせる、コンピュータプログラム。
【請求項１０】
ユーザが旅行するつもりである地理的場所においてアクセス不可能である、プレイリストのストリーミングメディアのコピーを自動的にダウンロードするシステムであって、前記システムは、請求項１〜７のいずれかに記載の方法のステップを実行するための手段を備える、システム。
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
式（Ｉ）の錯体：
2019531322.tif 000001
の製造方法であって、
該製造方法は、Ｐｄ（ジオレフィン）Ｘ２又はＰｄＸ２とＰＲ１Ｒ２Ｒ３とを溶媒中で反応させて、式（Ｉ）の錯体を形成する工程を含み、
該製造方法は、塩基の不在下で行い、
Ｐｄ（ジオレフィン）Ｘ２：ＰＲ１Ｒ２Ｒ３、又はＰｄＸ２：ＰＲ１Ｒ２Ｒ３のモル比は、１：１．１より大きく、約１：２．５までであり、
Ｘはそれぞれ独立して、ハライドであり、
Ｒ１、Ｒ２及びＲ３は独立して、ｔｅｒｔ−ブチル及びイソプロピルから成る群より選択される、製造方法。
【請求項２】
ジオレフィンが、環状ジオレフィン又は２つのモノオレフィン分子である、請求項１に記載の方法。
【請求項３】
溶媒がＣ６〜Ｃ１０芳香族炭化水素である、請求項１又は２に記載の方法。
【請求項４】
Ｐｄ（ジオレフィン）Ｘ２：ＰＲ１Ｒ２Ｒ３、又はＰｄＸ２：ＰＲ１Ｒ２Ｒ３のモル比が、約１：１．５である、請求項１から３のいずれか一項に記載の方法。
【請求項５】
さらに、基Ｘのうち１つ又は複数を独立してＸ’と交換することにより、式（Ｉ’）の錯体：
2019531322.tif 000002
［式中、Ｘ’はそれぞれ、式（Ｉ）の錯体における対応する基Ｘとは異なるハライドである］
を製造する工程を含む、請求項１から４のいずれか一項に記載の方法。
【請求項６】
式（ＩＩ）の化合物を、
（ａ）アルカリ金属水酸化物と、又は
（ｂ）［ＰＲ１Ｒ２Ｒ３］２Ｐｄと
溶媒中で反応させて式（Ｉ）の錯体を形成する工程を含む、式（Ｉ）の錯体の製造方法であって、
2019531322.tif 000003
式中、
Ｘはそれぞれ独立して、ハライドであり、
Ｒ１、Ｒ２及びＲ３は独立して、ｔｅｒｔ−ブチル及びイソプロピルから成る群より選択される、製造方法。
【請求項７】
溶媒が、直鎖、分枝状、又は環状のＣ１〜１０アルカノール、Ｃ６〜１０芳香族炭化水素、及びこれらの組み合わせから成る群より選択される、請求項６に記載の方法。
【請求項８】
アルカリ金属水酸化物が、水酸化カリウム又は水酸化ナトリウムである、請求項６又は７に記載の方法。
【請求項９】
式（ＩＩ）の化合物：アルカリ金属水酸化物のモル比が、約１：３である、請求項６から８のいずれか一項に記載の方法。
【請求項１０】
式（ＩＩ）の化合物：［ＰＲ１Ｒ２Ｒ３］２Ｐｄのモル比が、約１：２である、請求項６又は７に記載の方法。
【請求項１１】
式（ＩＩ）の化合物：
2019531322.tif 000004
［式中、
Ｘはそれぞれ独立して、ハライドであり、
Ｒ１、Ｒ２及びＲ３は独立して、ｔｅｒｔ−ブチル及びイソプロピルから成る群より選択される］。
【請求項１２】
式（ＩＩ）の化合物：
2019531322.tif 000005
の製造方法であって、
該製造方法は、Ｐｄ（ジオレフィン）Ｘ２又はＰｄＸ２と［Ｘ］［ＸＰＲ１Ｒ２Ｒ３］とを溶媒中で反応させて、式（ＩＩ）の錯体を形成する工程を含み、
式中、
Ｘはそれぞれ独立して、ハライドであり、
Ｒ１、Ｒ２及びＲ３は独立して、ｔｅｒｔ−ブチル及びイソプロピルから成る群より選択される、製造方法。
【請求項１３】
ジオレフィンが、環状ジオレフィン又は２つのモノオレフィン分子である、請求項１２に記載の方法。
【請求項１４】
溶媒が、Ｃ６〜１０芳香族炭化水素、Ｃ２〜１０エーテル、及びこれらの組み合わせから成る群より選択される、請求項１２又は１３に記載の方法。
【請求項１５】
溶媒が、キシレン、トルエン、ベンゼン、テトラヒドロフラン、ジオキサン、及びこれらの組み合わせから成る群より選択される、請求項１４に記載の方法。
【請求項１６】
［Ｘ］［ＸＰＲ１Ｒ２Ｒ３］を、ＰＲ１Ｒ２Ｒ３とＸ２とを溶媒中で反応させて［Ｘ］［ＸＰＲ１Ｒ２Ｒ３］を形成することにより製造する、請求項１２から１５のいずれか一項に記載の方法。
【請求項１７】
Ｐｄ（ジオレフィン）Ｘ２又はＰｄＸ２とＰＲ１Ｒ２Ｒ３とを溶媒中で反応させる工程を含む、［ＰＲ１Ｒ２Ｒ３］２Ｐｄの製造方法であって、
該製造方法は、塩基の不在下で行い、
Ｐｄ（ジオレフィン）Ｘ２：ＰＲ１Ｒ２Ｒ３、又はＰｄＸ２：ＰＲ１Ｒ２Ｒ３のモル比は、少なくとも１：３であり、
Ｘはそれぞれ独立して、ハライドであり、
Ｒ１、Ｒ２及びＲ３は独立して、ｔｅｒｔ−ブチル及びイソプロピルから成る群より選択される、製造方法。
【請求項１８】
ジオレフィンが、環状ジオレフィン又は２つのモノオレフィン分子である、請求項１７に記載の方法。
【請求項１９】
溶媒がＣ６〜Ｃ１０芳香族炭化水素である、請求項１７又は１８に記載の方法。
【請求項２０】
Ｐｄ（ジオレフィン）Ｘ２：ＰＲ１Ｒ２Ｒ３、又はＰｄＸ２：ＰＲ１Ｒ２Ｒ３のモル比が、約１：４である、請求項１７から１９のいずれか一項に記載の方法。
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
ペンタペプチドＴｈｒ−Ｌｙｓ−Ｐｒｏ−Ａｒｇ−Ｐｒｏ（配列番号５）または薬学的に許容されるその塩                ２〜２０ｇ／Ｌ；
保存剤            ０．０９５〜０．１０５ｇ／Ｌ；
水                                        残部
を含み、スプレーとして処方されるものである、医薬組成物。
【請求項２】
前記保存剤は塩化ベンザルコニウムである、請求項１に記載の医薬組成物。
【請求項３】
ペンタペプチドＴｈｒ−Ｌｙｓ−Ｐｒｏ−Ａｒｇ−Ｐｒｏ（配列番号５）の前記薬学的に許容される塩は、酢酸塩、塩酸塩、リン酸塩、硫酸塩、メシル酸、またはトシル酸である、請求項１または２に記載の医薬組成物。
【請求項４】
液剤として処方される、請求項１〜３のいずれか１項に記載の医薬組成物。
【請求項５】
鼻腔内投与用に処方される、請求項１〜４のいずれか１項に記載の医薬組成物。
【請求項６】
必要とされる対象における女性の性機能障害、ＨＳＤＤ、ＦＳＡＤ、またはＦＳＩＡＤを治療するための医薬を製造するための、請求項１〜５のいずれか１項に記載の医薬組成物の使用。
【請求項７】
ペンタペプチドＴｈｒ−Ｌｙｓ−Ｐｒｏ−Ａｒｇ−Ｐｒｏ（配列番号５）または薬学的に許容されるその塩の１日用量が８００〜５，１００ｍｃｇである、請求項６に記載の使用。
【請求項８】
前記ペプチドＴｈｒ−Ｌｙｓ−Ｐｒｏ−Ａｒｇ−Ｐｒｏ（配列番号５）または薬学的に許容されるその塩の前記１日用量は８４０ｍｃｇである、請求項７に記載の使用。
【請求項９】
前記ペプチドＴｈｒ−Ｌｙｓ−Ｐｒｏ−Ａｒｇ−Ｐｒｏ（配列番号５）または薬学的に許容されるその塩の前記１日用量は１，６８０ｍｃｇである、請求項７に記載の使用。
【請求項１０】
前記ペプチドＴｈｒ−Ｌｙｓ−Ｐｒｏ−Ａｒｇ−Ｐｒｏ（配列番号５）または薬学的に許容されるその塩の前記１日用量は２，５２０ｍｃｇである、請求項７に記載の使用。
【請求項１１】
前記ペプチドＴｈｒ−Ｌｙｓ−Ｐｒｏ−Ａｒｇ−Ｐｒｏ（配列番号５）または薬学的に許容されるその塩の前記１日用量は３，３６０ｍｃｇである、請求項７に記載の使用。
【請求項１２】
前記ペプチドＴｈｒ−Ｌｙｓ−Ｐｒｏ−Ａｒｇ−Ｐｒｏ（配列番号５）または薬学的に許容されるその塩の前記１日用量は４，２００ｍｃｇである、請求項７に記載の使用。
【請求項１３】
前記ペプチドＴｈｒ−Ｌｙｓ−Ｐｒｏ−Ａｒｇ−Ｐｒｏ（配列番号５）または薬学的に許容されるその塩の前記１日用量は５，０４０ｍｃｇである、請求項７に記載の使用。
【請求項１４】
前記医薬組成物が１〜３１日間、毎日投与される、請求項６〜１３のいずれか１項に記載の使用。
【請求項１５】
前記医薬組成物が１日用量を対象に１日１回投与される、請求項６〜１４のいずれか１項に記載の使用。
【請求項１６】
女性の性機能障害が、性欲減退または性欲の完全欠如を特徴とする、請求項６〜１５のいずれか１項に記載の使用。
【請求項１７】
女性の性機能障害がオルガスム機能障害である、請求項６〜１５のいずれか１項に記載の使用。
【請求項１８】
性機能障害が性的関係に対する嫌悪感および性的快感の欠如を特徴とする、請求項６〜１５のいずれか１項に記載の使用。
【請求項１９】
女性の性機能障害は膣炎、排尿障害、または性欲低下である、請求項６〜１５のいずれか１項に記載の使用。
【請求項２０】
前記医薬組成物は鼻腔内に投与される、請求項６〜１９のいずれか１項に記載の使用。
【請求項２１】
前記対象はヒトである、請求項６〜２０のいずれか１項に記載の使用。
【請求項２２】
必要とされる対象における性機能および生殖機能を刺激するための医薬を製造するための、請求項１〜５のいずれか１項に記載の医薬組成物の使用。
【請求項２３】
性的または生殖機能の刺激を必要とする対象における性的または生殖機能を刺激するためのものである、請求項１〜５のいずれか１項に記載の医薬組成物。
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
少なくとも下記成分をベースとする触媒系：
・予備形成モノマーとしてのイソプレン、
・下記式(I)のメタロセン、
・助触媒としての有機金属化合物、
{P(Cp1)(Cp2)Y}          (I)
- Yは、希土類金属である金属原子を含む基を示し、
- Cp1およびCp2は、同一かまたは異なり、フルオレニル基、シクロペンタジエニル基およびインデニル基からなる群から選択され、前記基は置換されているかまたは置換されていない基であり、
- Pは、前記2つの基Cp1およびCp2を架橋する基であり、ケイ素原子または炭素原子を含む基であり、
前記助触媒が、有機マグネシウム化合物である、上記触媒系。
【請求項２】
前記助触媒が、ジオルガノマグネシウム化合物である、請求項１に記載の触媒系。
【請求項３】
Cp1およびCp2が、同一であり、置換されているフルオレニル基および式C13H8の置換されていないフルオレニル基からなる群より選択される、請求項１または２に記載の触媒系。
【請求項４】
記号Yが、基Met-G(Metは希土類金属である金属原子を示し、GはボロハイドライドBH4単位を含む基を示すかまたは塩素、フッ素、臭素およびヨウ素からなる群から選択されるハロゲン原子Xを示す)を表す、請求項１〜３のいずれか１項に記載の触媒系。
【請求項５】
前記希土類金属が、それの原子番号が57〜71に変化するランタニドである、請求項１〜４のいずれか１項に記載の触媒系。
【請求項６】
前記希土類金属が、ネオジム、Ndである、請求項１〜５のいずれか１項に記載の触媒系。
【請求項７】
架橋Pが、式ZR1R2(Zは、ケイ素原子または炭素原子を表し、R1およびR2は、同一かまたは異なり、各々が1〜20個の炭素原子を含むアルキル基を表す)に対応する、請求項１〜６のいずれか１項に記載の触媒系。
【請求項８】
前記メタロセンの金属に対する前記予備形成モノマーのモル比が、5〜1000の範囲の値を有する、請求項１〜７のいずれか１項に記載の触媒系。
【請求項９】
前記メタロセンの金属に対する助触媒のモル比が0.5〜20の範囲の値を有する、請求項１〜８のいずれか１項に記載の触媒系。
【請求項１０】
請求項１〜９のいずれか１項に記載される触媒系の存在下のモノマーMの重合を含むポリマーの調製方法であって、前記モノマーMが、共役ジエン、エチレン、α-モノオレフィンおよびそれらの混合物からなるモノマーの群から選択される、方法。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
成形研磨粒子であって、
セラミックを含み、
前記成形研磨粒子の長手方向軸に沿った多角形の断面形状を有し、
前記成形研磨粒子の少なくとも１つの先端が、約１９．２ミクロン以下の曲率半径を有する、
成形研磨粒子。
【請求項２】
前記少なくとも１つの先端の前記曲率半径は、前記先端を含む前記成形研磨粒子の面と直交する方向で見たときに、
会合して前記先端を形成する、前記成形研磨粒子の面における２つの辺上の点であって、２つの辺のそれぞれが直線から曲線へ移行する点である、前記先端の曲線が開始する点を通り、かつ
前記先端全体を包囲する、
最小円の半径である、
請求項１に記載の成形研磨粒子。
【請求項３】
前記少なくとも１つの先端が、前記成形研磨粒子の最大面上の先端であり、前記曲率半径は、前記成形研磨粒子の最大面に直交する方向で見たときに、
会合して前記先端を形成する、前記成形研磨粒子の最大面における２つの辺上の点であって、２つの辺のそれぞれが直線から曲線へ移行する点である、前記先端の曲線が開始する点を通り、かつ
前記先端全体を包囲する、
最小円の半径である、
請求項１に記載の成形研磨粒子。
【請求項４】
複数の前記成形研磨粒子が備える前記先端が、約１９．２ミクロン以下の平均曲率半径を有する、請求項１に記載の複数の成形研磨粒子。
【請求項５】
側壁によって互いに接続されている第１の面と第２の面とを含み、前記第１の面と前記第２の面とが互いに実質的に平行であり、前記第１の面が前記第２の面より大きい表面積を有し、
約１９．２ミクロン以下の曲率半径を有する前記少なくとも１つの先端が、前記成形研磨粒子の前記第１の面上の先端である、
請求項１に記載の成形研磨粒子。
【請求項６】
前記少なくとも１つの先端が、前記成形研磨粒子の開口側の面上における先端である、請求項１に記載の成形研磨粒子。
【請求項７】
約１５ミクロン以下の曲率半径を有する少なくとも１つの先端を備える、請求項１に記載の成形研磨粒子。
【請求項８】
約４ミクロン〜約１８００ミクロンの粒径を有する、請求項１に記載の成形研磨粒子。
【請求項９】
約１．１５より大きい体積アスペクト比を備え、前記体積アスペクト比は、前記成形研磨粒子の重心を通る最大断面積を、前記成形研磨粒子の重心を通る最小断面積で割った比である、請求項１に記載の成形研磨粒子。
【請求項１０】
バッキングと、
前記バッキングの第１の主面上のメイクコートと、
前記メイクコート上の、請求項１に記載の複数の成形研磨粒子を含む研磨層と
を備えた、被覆研磨物品。
【請求項１１】
前記研磨層が、成形されていない研磨粒子を更に含む、請求項１０に記載の被覆研磨物品。
【請求項１２】
前記成形研磨粒子の過半数が、前記成形研磨粒子の側壁によって前記メイクコートに接着している、請求項１０に記載の被覆研磨物品。
【請求項１３】
前記側壁によって前記メイクコートに接着している前記成形研磨粒子が、約５０度〜約８５度の配向角度βを有する、請求項１２に記載の被覆研磨物品。
【請求項１４】
バッキングと、
前記バッキングの第１の主面上のメイクコートと、
前記メイクコート上の、複数の成形研磨粒子を含む研磨層と
を備える被覆研磨物品であって、
複数の成形研磨粒子が、前記研磨層のうちの約０．５重量％〜約１００重量％であり、前記成形研磨粒子のそれぞれが、独立に、
約１００重量％のアルファ−アルミナを含み、
前記成形研磨粒子の長手方向軸に沿った多角形の断面形状を有し、
前記成形研磨粒子の最大面上の先端が、約５ミクロン以下の曲率半径を有し、前記曲率半径が、前記成形研磨粒子の最大面に直交する方向で見たときに、
会合して前記先端を形成する、前記成形研磨粒子の最大面における２つの辺上の点であって、２つの辺のそれぞれが直線から曲線へ移行する点である、前記先端の曲線が開始する点を通り、かつ
前記先端全体を包囲する、
最小円の半径である、
被覆研磨物品。